(57)【特許請求の範囲】
【請求項１】
前後一対の高さ方向にのびる縦フレームの上端および下端に上下一対の前後方向にのびる横フレームが連結されて形成された側枠が左右一対として対置され、この側枠間に、側枠の高さ方向の任意の位置に棚部が架設されるとともに、下端部に底板部が架設されて本体が形成され、左右一対の側フレームの前端に左右方向にのびる横バーが連結されて形成された略コ字型形状を有するスライド部材が、本体の上端内側または下端内側に配置され、前記側枠の上端または下端に位置する前記横フレームに沿って、本体に対して前後にスライド自在に配設されており、前記スライド部材の横バーには、略コ字型形状の補助バーが取り付けられていることを特徴とする収納装置。
【請求項２】
前記棚部に設けられる棚板および前記底板部に設けられる底板が光透過性を有する材料から形成されている請求項１記載の収納装置。
【請求項３】
前記棚部および前記底板部の後端が前記側枠の後端より前側に位置している請求項１または２記載の収納装置。
【発明の詳細な説明】
【技術分野】
【０００１】
本願発明は、ランドリースペースの壁面に設置される収納装置に関する。
【背景技術】
【０００２】
洗面所の壁面に設置されるウォールキャビネットには各種のものが提供されている。たとえば、物干し機能が付加された収納装置が知られている（特許文献１）。
【０００３】
特許文献１に記載された収納装置では、本体の下方に小物収納部が本体と一体に形成され、小物収納部内に前後にのびる支持部材が左右一対として設けられ、各支持部材に対して保持部材がスライド自在に設けられている。保持部材には、互いに略平行な物干棒が取り付けられている。干し物をする際には、保持部材を前方にスライドさせ、物干棒を小物収納部から前方に引き出し、物干棒に干し物をかけることができる。
【特許文献１】特開平７−５９６２３号公報
【発明の開示】
【発明が解決しようとする課題】
【０００４】
しかしながら、特許文献１に記載された収納装置は、物干し機能が付加され、利便性が向上しているが、ランドリースペースに設置されるものとしては採用しがたい面がある。
【０００５】
なぜならば、収納装置の本体は、左右の側板とともに背板を有し、前面には本体内部の収納部を開閉する扉が設けられているため、ランドリースペースの壁面に設置すると、圧迫感があり、ランドリースペースに閉鎖感を与えてしまうからである。また、収納装置の下方が薄暗がりとなり、ランドリースペースに設置される洗濯機の操作がしにくくなるからである。
【０００６】
本願発明は、このような事情に鑑みてなされたものであり、物品の収納を可能としながらも、ランドリースペースを開放的な明るいスペースとすることができ、しかも、洗濯物を部屋干ししたり、入浴時に脱いだ衣類や着替えなどを掛けたりすることのできる収納装置を提供することを課題としている。
【課題を解決するための手段】
【０００７】
本願発明は、上記の課題を解決するために、第１に、前後一対の高さ方向にのびる縦フレームの上端および下端に上下一対の前後方向にのびる横フレームが連結されて形成された側枠が左右一対として対置され、この側枠間に、側枠の高さ方向の任意の位置に棚部が架設されるとともに、下端部に底板部が架設されて本体が形成され、左右一対の側フレームの前端に左右方向にのびる横バーが連結されて形成された略コ字型形状を有するスライド部材が、本体の上端内側または下端内側に配置され、前記側枠の上端または下端に位置する前記横フレームに沿って、本体に対して前後にスライド自在に配設されており、前記スライド部材の横バーには、略コ字型形状の補助バーが取り付けられていることを特徴としている。
【０００８】
本願発明は、第２に、棚部に設けられる棚板および底板部に設けられる底板が光透過性を有する材料から形成されていることを特徴としている。
【０００９】
本願発明は、第３に、棚部および底板部の後端が側枠の後端より前側に位置していることを特徴としている。
【発明の効果】
【００１０】
本願の第１の発明によれば、前後一対の高さ方向にのびる縦フレームの上端および下端に上下一対の前後方向にのびる横フレームが連結されて形成された側枠が左右一対として対置され、この側枠間に、側枠の高さ方向の任意の位置に棚部が架設されるとともに、下端部に底板部が架設されて本体が形成されるため、本体は、側板、背板および扉を持たない。本体は前後左右に開放しており、ランドリースペースの壁面に設置されたときに圧迫感を与えない。棚部および底板部によって物品の収納を可能としながらも、ランドリースペースが開放的なものとなる。また、本体の下方が薄暗がりにならず、ランドリースペースは明るく、洗濯機の操作に支障をきたさない。
【００１１】
そして、左右一対の側フレームの前端に左右方向にのびる横バーが連結されて形成された略コ字型形状を有するスライド部材が、本体に対して前後にスライド自在に配設されているため、スライド部材を本体の前方に引き出すことにより、洗濯機から取り出した洗濯物をハンガーや洗濯干しなどに吊るして横バーに掛け、そのまま部屋干ししたり、入浴時に脱いだ衣類や着替えなどをハンガーなどを用いて横バーに掛けたりすることができる。
【００１２】
本願の第２の発明によれば、棚部に設けられる棚板および底板部に設けられる底板が光透過性を有する材料から形成されているため、本体の下方に採光することができ、ランドリースペースが一層明るくなる。
【００１３】
本願の第３の発明によれば、棚部および底板部の後端が側枠の後端より前側に位置しているため、棚部および底板部の後方に窓枠よけスペースが形成され、ランドリースペースの壁面に設置された窓の窓枠に干渉せずに、収納装置を窓の前方に安定して設置することができる。
【発明を実施するための最良の形態】
【００１４】
図１は、本願発明の収納装置の一実施形態を示した斜視図である。
【００１５】
収納装置の本体１は、左右両側に側枠２を備えている。側枠２は、前後一対の高さ方向にのびる縦フレーム３の上端および下端に上下一対の前後方向にのびる横フレーム４が連結されて略矩形形状に形成されている。この側枠２は、本体１において左右一対として対置されている。側枠２の間には、側枠２の高さ方向の略中央に棚部５が架設されている。また、側枠２の下端部には底板部６が架設されている。これら側枠２、棚部５および底板部６によって本体１が形成されている。
【００１６】
棚部５は、各側枠２において前後方向にのび、横フレーム４に平行に配置され、縦フレーム３間を垂直に連結する連結フレーム７と、各側枠２の前側の縦フレーム３間に水平に配置され、連結フレーム７に対して垂直に架設された前フレーム８と、連結フレーム７の後端より前側において連結フレーム７間に垂直に架設され、前フレーム８に平行に配置された後フレーム９と、棚板１０とを備えている。棚板１０は、左右の連結フレーム７、前フレーム８および後フレーム９によって形成される平面内に取り付けられ、水平に配置されている。また、棚板１０は、光が透過可能な光透過性を有する硬質ガラス、プラスチックなどの材料から形成されている。そして、棚部５の上方に物品の収納部が形成されている。
【００１７】
底板部６は、各側枠２の前側の縦フレーム３の下端間に水平に配置され、縦フレーム３に対して垂直に架設された前フレーム１１と、各側枠２の下側の横フレーム４間に水平に配置され、横フレーム４に対して垂直に架設された後フレーム１２と、底板１３とを備えている。底板１３は、前フレーム１１、後フレーム１２および各側枠２の下端に位置する左右の横フレーム４によって形成される平面内に取り付けられ、水平にかつ棚板１０と平行に配置されている。この底板１３も、光が透過可能な光透過性を有する硬質ガラス、プラスチックなどの材料から形成されている。そして、底板部６の上方の棚板部５との間に物品の収納部が形成されている。
【００１８】
このような本体１に対して、収納装置では、前後にスライド自在にスライド部材１４が配設されている。スライド部材１４は、左右一対の側フレーム１５の前端に左右方向にのびる横バー１６が連結されて形成され、略コ字型形状を有している。そして、スライド部材１４は、本体１の上端内側に配置され、側枠２の上端に位置する横フレーム４に沿って前後にスライド自在とされている。このようなスライド部材１４のスライドは、たとえば、側フレーム１５と本体１の側枠２の上端に位置する横フレーム４との間にスライドレールを設けるなどして実現可能とされる。
【００１９】
以上の収納装置は、たとえば図２に示したように、ランドリースペースの壁面に設置されるが、本体１は、左右一対の側枠２と、側枠２間の略中央、下端部のそれぞれに架設された棚部５、底板部６とによって形成されるため、側板、背板および扉を持たない。本体１は、前後左右に開放しており、ランドリースペースの壁面に設置されたときに圧迫感を与えない。ランドリースペースに設置される洗濯機１７の上方に設置された天袋１８の直下に設置される場合にも圧迫感はない。棚部５および底板部６によって物品の収納を可能としながらも、ランドリースペースが開放的なものとなる。また、本体１の下方が薄暗がりにならず、ランドリースペースは明るく、洗濯機１７の操作に支障をきたさない。
【００２０】
しかも、棚部５に設けられる棚板１０および底板部６に設けられる底板１３が光透過性を有する材料から形成されているため、本体１の下方に採光することができ、ランドリースペースが一層明るくなる。特に、ランドリースペースの壁面に窓１９が設けられる場合は顕著であり、窓１９から射し込む光が収納装置の設置によって遮られることはない。しがって、収納装置を窓１９に対面してランドリースペースの壁面に設置することができる。そして、棚部５および底板部６の後端が、図１に示したように、側枠２の後端より前側に位置しているため、棚部５および底板部６の後方に窓枠よけスペースが形成され、ランドリースペースの壁面に設置された窓１９の窓枠に干渉せずに、収納装置を窓の前方に安定して設置することができる。
【００２１】
さらに、収納装置では、スライド部材１４が、本体１に対して前後にスライド自在に配設されているため、スライド部材１４を本体１の前方に引き出すことにより、洗濯機１７から取り出した洗濯物をハンガーや洗濯干しなどに吊るして横バー１６に掛け、そのまま部屋干ししたり、入浴時に脱いだ衣類や着替えなどをハンガーなどを用いて横バー１６に掛けたりすることができる。
【００２２】
スライド部材１４は、不使用時には、後方へスライドさせ、図３に示したように、本体１に収納することができる。収納状態では、スライド部材１４の横バー１６の前面は、本体１の左右の側枠２の前側の縦フレーム３の前面と面一に配置することができ、収納装置として一体感のある良好な外観を形成することができる。
【００２３】
なお、図１に示した収納装置では、棚部５は、側枠２の高さ方向の略中央において側枠２間に架設されているが、本願発明の収納装置では、棚部５の取り付け位置は側枠２の高さ方向の任意の位置とすることができ、また、棚部５は、単数に限られず、複数とすることができる。
【００２４】
図４は、本願発明の収納装置の一実施形態を示した斜視図である。
【００２５】
図４に示した収納装置では、棚部５および底板部６に加え、天板部２０が側枠２の上端部に配設されている。天板部２０は、各側枠２の上端に位置する横フレーム４に平行に配置され、横フレーム４の直下において縦フレーム３間を垂直に連結する連結フレーム２１と、各側枠２の前側の縦フレーム３間に水平に配置され、前側の縦フレーム３に対して垂直に架設された前フレーム２２と、各側枠２の後側の縦フレーム３間に水平に配置され、後側の縦フレーム３に対して垂直に架設された後フレーム２３と、天板２４とを備えている。天板２４は、左右の連結フレーム２１、前フレーム２２および後フレーム２３によって形成される平面内に取り付けられ、水平にかつ底板部６と平行に配置されている。このような天板部２４によって、上端部における歪みやたわみなどを抑制し、形態を安定化させ、本体１の強度を高めることができる。天板２４は、棚板１０および底板１３と同様に光透過性を有する材料から形成することもできるが、ランドリースペースの壁面への設置形態によっては、具体的には、図２に示したように、収納装置が天袋１８の直下に設置されるような場合、光透過性は必ずしも要求されない。しかし、天板２４が光を透過しない材料から形成されていても、本体１は前後左右に開放しているため、本体１の下方が薄暗がりになることはない。
【００２６】
図５は、本願発明の収納装置の一実施形態を示した斜視図である。
【００２７】
図５に示した収納装置では、スライド部材１４が、本体１の下端内側に配置され、側枠２の下端に位置する横フレーム４に沿って前後にスライド自在とされている。たとえば、側フレーム１５と本体１の側枠２の下端に位置する横フレーム４との間にスライドレールを設けるなどしてスライド部材１４の前後方向のスライドが実現可能とされる。
【００２８】
一方、スライド部材１４が本体１の下端に配設されていることから、底板部６は、スライド部材１４の直上において左右一対の側枠２間に架設されている。各側枠２において下端に位置する横フレーム４の直上に縦フレーム３を垂直に連結する連結フレーム２５が設けられ、前フレーム１１および後フレーム１２が、左右の側枠２の縦フレーム３間に、水平に配置され、連結フレーム２５に対して垂直に架設されている。底板１３は、これら連結フレーム２５と、前フレーム１１および後フレーム１２とによって形成される平面内に取り付けられている。
【００２９】
このように、本願発明の収納装置では、スライド部材１４の配設位置は特に限定されず、棚部５および底板部６の上方に形成される物品の収納部の邪魔とはならない側枠２の高さ方向の適当な位置にスライド部材１４を配設することができる。
【００３０】
図６、図７は、それぞれ、本願発明の収納装置におけるスライド部材の一形態を示した要部斜視図である。
【００３１】
図６および図７に示したように、スライド部材１４には、コ字型形状を有する補助バー２６を横バー１６に取り付けることができる。補助バー２６は、洗濯物や入浴時に脱いだ衣類、着替えなどを掛けるハンガーや洗濯干しを吊下げられるようにし、また、スライド部材１４を前方に引き出す際の取っ手などとして機能するものである。このような補助バー２６は、図６に示したように、横バー１６の前面から前方に突出するように設けたり、図７に示したように、横バー１６の下面から下方に突出するように設けたりすることができる。
【図面の簡単な説明】
【００３２】
【図１】本願発明の収納装置の一実施形態を示した斜視図である。
【図２】図１に示した収納装置の設置形態を示した斜視図である。
【図３】図１に示した収納装置においてスライド部材を収納した状態を示した斜視図である。
【図４】本願発明の収納装置の一実施形態を示した斜視図である。
【図５】本願発明の収納装置の一実施形態を示した斜視図である。
【図６】本願発明の収納装置におけるスライド部材の一形態を示した要部斜視図である。
【図７】本願発明の収納装置におけるスライド部材の一形態を示した要部斜視図である。
【符号の説明】
【００３３】
１    本体
２    側枠
３    縦フレーム
４    横フレーム
５    棚部
６    底板部
７    連結フレーム
８    前フレーム
９    後フレーム
１０    棚板
１１    前フレーム
１２    後フレーム
１３    底板
１４    スライド部材
１５    側フレーム
１６    横バー
１７    洗濯機
１８    天袋
１９    窓
２０    天板部
２１    連結フレーム
２２    前フレーム
２３    後フレーム
２４    天板
２５    連結フレーム
２６    補助バー
【図１】
0004807124.tif 000002
【図２】
0004807124.tif 000003
【図３】
0004807124.tif 000004
【図４】
0004807124.tif 000005
【図５】
0004807124.tif 000006
【図６】
0004807124.tif 000007
【図７】
0004807124.tif 000008